【手続補正書】
【提出日】平成18年9月6日(2006.9.6)
【手続補正１】
【補正対象書類名】特許請求の範囲
【補正対象項目名】全文
【補正方法】変更
【補正の内容】
【特許請求の範囲】
【請求項１】
離れた場所からパソコンによりモニターすることが可能な複写機であって、前記複写機の動作を制御する制御コンピュータ及び前記制御コンピュータからのデータを受信するように構成されている制御パネルを有する複写機と、
前記パソコンと複数の装置とを接続することを可能とし、前記パソコンからこの複数の装置へと枝分かれして構成された双方向のネットワークであって、このネットワークの個々のラインは少なくとも一対の信号線を含み、この一対の信号線には非同期かつ順次流れデータが伝送されるよう構成したネットワークと接続することが可能であるユニバーサルインターフェースを提供する前記複写機に対応して設けられたチップと、
前記複写機に対応して設けられた、前記ネットワーク内において前記複写機を遠隔的に同定するための情報パターンを含むデータを保持し電力が排除されても前記情報パターンを含むデータを保持する記憶装置とから構成され、
前記チップが前記ネットワーク内において前記複写機を遠隔的に同定するために前記情報パターンを含むデータを前記パソコンに送信することにより、前記パソコン上で動作するデータベースマネージャーによって前記複写機を認識可能としたことを特徴とする複写機システム。
【請求項２】
離れた場所からパソコンによりモニターすることが可能な複写機であって、前記複写機の動作を制御する制御コンピュータ及び前記制御コンピュータからのデータを受信するように構成されている制御パネルを有する複写機と、
前記パソコンと複数の装置とを接続することを可能とし、前記パソコンからこの複数の装置へと枝分かれして構成された双方向のネットワークであって、このネットワークの個々のラインは少なくとも一対の信号線を含み、この一対の信号線には非同期かつ順次流れデータが伝送されるよう構成したネットワークと接続することが可能であるユニバーサルインターフェースを提供する前記複写機に対応して設けられたチップと、
前記複写機に対応して設けられた、前記ネットワーク内において前記複写機を遠隔的に同定するための情報パターンを含むデータを保持し電力が排除されても前記情報パターンを含むデータを保持する記憶装置とから構成され、
前記チップが前記ネットワーク内において前記複写機を遠隔的に同定するために前記情報パターンを含むデータを前記パソコンに送信することにより、前記パソコン上で動作するデータベースマネージャーによって前記複写機を認識可能とし、
前記制御コンピュータは、前記パソコンから複写機制御コマンドを受信し、前記パソコンから受信した状況情報の要求に応答して、前記チップを経由し前記パソコンへ前記複写機の状況情報を送信することを特徴とする複写機システム。
【請求項３】
前記チップは、マイクロプロセッサであることを特徴とする請求項１又は２に記載の複写機システム。
【請求項４】
前記マイクロプロセッサは、ランダム・アクセス・メモリに接続されていることを特徴とする請求項３に記載の複写機システム。
【請求項５】
前記マイクロプロセッサは、アドレスデコーダに接続されていることを特徴とする請求項３に記載の複写機システム。
【請求項６】
前記パソコンの画面上には、四角の枠内で、前記複写機の状態、前記複写機のエラーコード、コピーカウント又はセットアップパラメータを表示させることができるようにしたことを特徴とする請求項１乃至５のいずれか一に記載の複写機システム。
【請求項７】
前記制御パネルは、発光ダイオードを有することを特徴とする請求項１乃至６のいずれか一に記載の複写機システム。
【請求項８】
前記制御パネルは、液晶ディスプレイを有することを特徴とする請求項１乃至７のいずれか一に記載の複写機システム。
【請求項９】
前記制御パネルは、複数のキーを有することを特徴とする請求項１乃至８のいずれか一に記載の複写機システム。
【請求項１０】
エラー状況が前記制御コンピュータから前記制御パネルへ送信されることを特徴とする請求項２に記載の複写機システム。
【請求項１１】
前記チップは、前記パソコンから送信される順次流れデータを多ビット幅のデータに変換し，前記複写機から供給される多ビット幅のデータを順次流れデータに変換することを特徴とする請求項１又は２に記載の複写機システム。
【請求項１２】
それぞれに非同期かつ順次流れデータが伝送される一対の信号を有する複数の信号線を含むネットワークを更に有することを特徴とする請求項１又は２に記載の複写機システム。
【請求項１３】
前記複数の信号線は，前記一対の信号線を含む４本の信号線からなることを特徴とする請求項１２に記載の複写機システム。
【請求項１４】
前記一対の信号線は，ハード配線であることを特徴とする請求項１２に記載の複写機システム。
【請求項１５】
離れた場所からパソコンによりモニターすることが可能な複写機システムであって、
複写機と、
前記複写機に搭載され、前記複写機の状況を生成するように構成された制御コンピュータと、
前記パソコンに接続された双方向の通信線によって前記複写機システムを前記パソコンに接続するインターフェースであって、
マイクロプロセッサと、
電力が排除されても特別な情報を記憶し、保持する記憶装置と、
前記マイクロプロセッサからの第１の多ビット幅のデータを第１の順次流れデータに変換し、前記パソコンからの第２の順次流れデータを前記マイクロプロセッサが処理する第２の多ビット幅のデータに変換する回路と、
前記第１の順次流れデータを前記双方向の通信線を通して送信可能なドライバ回路と、
を有するインターフェースと、を有し、
前記特別な情報は、前記複写機を同定し、前記パソコン上で動作するデータベースマネージャーによって前記複写機を認識可能とし、
前記制御コンピュータは、前記パソコンから複写機制御コマンドを受信し、前記パソコンから受信した状況情報の要求に応答して、前記チップを経由し前記パソコンへ前記複写機の状況情報を送信することを特徴とする複写機システム。
【請求項１６】
前記マイクロプロセッサは、アドレスデコーダに接続されていることを特徴とする請求項１５に記載の複写機システム。
【請求項１７】
前記パソコンによってモニターされる前記複写機の状況は、前記複写機のセットアップパラメータを含み。前記セットアップパラメータに相当するデータは、前記データが前記パソコンの画面に表示可能なフォーマットで前記インターフェースを介して前記パソコンへ送信されることを特徴とする請求項１５に記載の複写機システム。
【請求項１８】
順次流れデータを双方向に送信する一対の信号線を有するネットワークを介して、前記複写機システムに接続されたパソコンにより離れた場所からモニターすることが可能な複写機と、
前記複写機に対応する記憶装置であって、前記複写機を同定し、前記パソコン上で動作するデータベースマネージャーによって前記複写機を認識可能とし、電力が排除されても特別な情報を記憶し、保持する記憶装置と、
前記ネットワークを通して前記特別な情報を前記パソコンに送信し、前記複写機で処理される多ビット幅のデータを前記一対の信号線に流れる順次流れデータに変換するユニバーサル非同期レシーバ・トランスミッタと、
を有する複写機システムであって、
前記複写機は、前記パソコンから複写機制御コマンドを受信し、前記パソコンから受信した状況情報の要求に応答して、前記チップを経由し前記パソコンへ前記複写機の状況情報を送信することを特徴とする複写機システム。
【請求項１９】
前記パソコンによってモニターされる前記複写機の状況は、前記複写機のセットアップパラメータを含み。前記セットアップパラメータに相当するデータは、前記データが前記パソコンの画面に表示可能なフォーマットで前記インターフェースを介して前記パソコンへ送信されることを特徴とする請求項１８に記載の複写機システム。
【請求項２０】
前記複写機システムは、更に、リアルタイムに複写機状況情報を前記パソコンに送信するように構成されていることを特徴とする請求項１８に記載の複写機システム。